(57)【要約】【課題】直流大電流を遮断する界磁遮断器を設けずに、界磁回路を工夫することにより、低コストで長寿命な同期機の励磁装置を提供すること。【解決手段】同期機１の界磁巻線３を励磁するサイリスタ整流器５と、サイリスタ整流器の交流入力端子に励磁用変圧器７、励磁用交流遮断器８を介して接続された同期機出力回路以外の電源１０と、前記界磁巻線および前記サイリスタ整流器間に直列に接続された放電抵抗４と、放電抵抗に並列に接続され放電抵抗の端子間を開閉する放電抵抗短絡スイッチ６とを備え、同期機の通常停止時は、励磁用交流遮断器８を開放し、それと共に複数のサイリスタアームを一斉に点弧することにより界磁巻線に蓄えられたエネルギーを前記サイリスタアームを通して放電し、同期機の緊急停止時は、励磁用交流遮断器８を開放し、それと共に複数のサイリスタアームを一斉に点弧して、さらに放電抵抗短絡スイッチ６を開放することにより界磁巻線３に蓄えられたエネルギーを放電抵抗とサイリスタアームを通して放電する。【選択図】図１
2007202286.tif 000002
【特許請求の範囲】
【請求項１】
同期機の界磁巻線を励磁するように接続され、複数のサイリスタアームをブリッジ接続して構成されたサイリスタ整流器と、前記サイリスタ整流器の交流入力端子に励磁用変圧器、励磁用交流遮断器を介して接続された同期機出力回路以外の電源と、前記界磁巻線および前記サイリスタ整流器間に直列に接続された放電抵抗と、前記放電抵抗に並列に接続され前記放電抵抗の端子間を開閉する放電抵抗短絡スイッチとを備えた同期機の励磁装置において、
同期機の通常停止時は、前記励磁用交流遮断器を開放し、それと共に前記複数のサイリスタアームを一斉に点弧することにより前記界磁巻線に蓄えられたエネルギーを前記サイリスタアームを通して放電し、同期機の緊急停止時は、前記励磁用交流遮断器を開放し、それと共に前記複数のサイリスタアームを一斉に点弧して、さらに前記放電抵抗短絡スイッチを開放することにより前記界磁巻線に蓄えられたエネルギーを前記放電抵抗と前記サイリスタアームを通して放電することを特徴とした同期機の励磁装置。
【請求項２】
同期機の界磁巻線を励磁するように接続され、複数のサイリスタアームをブリッジ接続して構成されたサイリスタ整流器と、前記サイリスタ整流器の交流入力端子に励磁用変圧器、励磁用交流遮断器を介して接続された同期機出力回路以外の電源と、前記界磁巻線および前記サイリスタ整流器間に直列に接続された放電抵抗と、前記放電抵抗に並列に接続され前記放電抵抗の端子間を開閉する放電抵抗短絡スイッチとを備えた同期機の励磁装置において、
４極交流遮断器の３極を前記励磁用交流遮断器として使用し、残りの１極を前記放電抵抗短絡スイッチとして使用し、
同期機の停止時は、前記４極交流遮断器を開放することにより、前記励磁用交流遮断器および前記放電抵抗短絡スイッチを開放し、それと共に前記複数のサイリスタアームを一斉に点弧して前記界磁巻線に蓄えられたエネルギーを前記放電抵抗と前記サイリスタアームを通して放電することを特徴とした同期機の励磁装置。
【請求項３】
同期機の界磁巻線を励磁するように接続され、複数のサイリスタアームをブリッジ接続して構成されたサイリスタ整流器と、前記サイリスタ整流器の交流入力端子に励磁用変圧器、励磁用交流遮断器を介して接続された同期機出力回路と、前記サイリスタ整流器の直流出力端子に接続された初期励磁回路と、前記界磁巻線および前記サイリスタ整流器間に直列に接続された放電抵抗と、前記放電抵抗に並列に接続され前記放電抵抗の端子間を開閉する放電抵抗短絡スイッチを備えた同期機の励磁装置において、
同期機の通常停止時は、前記励磁用交流遮断器を開放し、それと共に前記複数のサイリスタアームを一斉に点弧することにより前記界磁巻線に蓄えられたエネルギーを前記サイリスタアームを通して放電し、同期機の緊急停止時は、前記交流遮断器を開放し、それと共に前記  複数のサイリスタアームを一斉に点弧して、さらに前記放電抵抗短絡スイッチを開放することにより前記界磁巻線に蓄えられたエネルギーを前記放電抵抗と前記サイリスタアームを通して放電することを特徴とした同期機の励磁装置。
【請求項４】
同期機の界磁巻線を励磁するように接続され、複数のサイリスタアームをブリッジ接続して構成されたサイリスタ整流器と、前記サイリスタ整流器の交流入力端子に励磁用変圧器、励磁用交流遮断器を介して接続された同期機出力回路と、前記サイリスタ整流器の直流出力端子に接続された初期励磁回路と、前記界磁巻線および前記サイリスタ整流器間に直列に接続された放電抵抗と、前記放電抵抗に並列に接続され前記放電抵抗の端子間を開閉する放電抵抗短絡スイッチとを備えた同期機の励磁装置において、
４極交流遮断器の３極を前記励磁用交流遮断器として使用し、残りの１極を前記放電抵抗短絡スイッチとして使用し、
同期機の停止時は、前記４極交流遮断器を開放することにより、前記励磁用交流遮断器および前記放電抵抗短絡スイッチを開放し、それと共に前記複数のサイリスタアームを一斉に点弧して前記界磁巻線に蓄えられたエネルギーを前記放電抵抗と前記サイリスタアームを通して放電することを特徴とした同期機の励磁装置。
【請求項５】
前記放電抵抗短絡スイッチは、直列に接続した複数個のスイッチにより構成したことを特徴とする請求項１または３記載の同期機の励磁装置。
【発明の詳細な説明】
【技術分野】
【０００１】
本発明は同期機の励磁装置に係り、特に励磁回路に界磁遮断器を設けずに、低コストで長寿命を図った同期機の励磁装置に関する。
【背景技術】
【０００２】
同期機の励磁方式の一つに静止型励磁方式がある。この励磁方式は励磁電源部にサイリスタ整流器を用い、このサイリスタ整流器から出力された励磁電圧を大容量直流遮断器である界磁遮断器を介して界磁巻線に印加するようにした励磁方式であり、同期機の停止時に開放される界磁遮断器の主接点と連動して放電用コンタクタを閉路することにより界磁巻線両端間に放電抵抗を接続し、界磁巻線に蓄えられたエネルギーを急速に放電させるように構成されている（例えば、特許文献１参照）。
【特許文献１】特開平１１−２１５８９７（第２項、図７−図８）
【発明の開示】
【発明が解決しようとする課題】
【０００３】
特許文献１に記載されているように、従来の同期機の励磁装置は直流電流を遮断する界磁遮断器を使用している。  
近年、同期機の大容量化が進んでおり、それに合わせて界磁遮断器に求められる遮断能力も大容量化している。しかし、大容量の界磁遮断器は非常に高価であり、あまりにも大容量である場合には入手が困難な場合がある。さらに起動および停止の頻度が高い同期機においては、界磁遮断器は同期機に停止指令が出るたびに直流の大電流を遮断するため、寿命が短いということが課題となっていた。
【０００４】
そこで、本発明は従来採用されているような界磁遮断器を設けずに、励磁回路を工夫することにより、低コストで長寿命の同期機の励磁装置を提供することを目的とするものである。
【課題を解決するための手段】
【０００５】
上記の目的を達成するため、請求項１に係る発明は、同期機の界磁巻線を励磁するように接続され、複数のサイリスタアームをブリッジ接続して構成されたサイリスタ整流器と、前記サイリスタ整流器の交流入力端子に励磁用変圧器、励磁用交流遮断器を介して接続された同期機出力回路以外の電源と、前記界磁巻線および前記サイリスタ整流器間に直列に接続された放電抵抗と、前記放電抵抗に並列に接続され前記放電抵抗の端子間を開閉する放電抵抗短絡スイッチとを備えた同期機の励磁装置において、同期機の通常停止時は、前記励磁用交流遮断器を開放し、それと共に前記複数のサイリスタアームを一斉に点弧することにより前記界磁巻線に蓄えられたエネルギーを前記サイリスタアームを通して放電し、同期機の緊急停止時は、前記励磁用交流遮断器を開放し、それと共に前記複数のサイリスタアームを一斉に点弧して、さらに前記放電抵抗短絡スイッチを開放することにより前記界磁巻線に蓄えられたエネルギーを前記放電抵抗と前記サイリスタアームを通して放電することを特徴とする。
【０００６】
また、請求項２に係る発明は、同期機の界磁巻線を励磁するように接続され、複数のサイリスタアームをブリッジ接続して構成されたサイリスタ整流器と、前記サイリスタ整流器の交流入力端子に励磁用変圧器、励磁用交流遮断器を介して接続された同期機出力回路以外の電源と、前記界磁巻線および前記サイリスタ整流器間に直列に接続された放電抵抗と、前記放電抵抗に並列に接続され前記放電抵抗の端子間を開閉する放電抵抗短絡スイッチとを備えた同期機の励磁装置において、４極交流遮断器の３極を前記励磁用交流遮断器として使用し、残りの１極を前記放電抵抗短絡スイッチとして使用し、同期機の停止時は、前記４極交流遮断器を開放することにより、前記励磁用交流遮断器および前記放電抵抗短絡スイッチを開放し、それと共に前記複数のサイリスタアームを一斉に点弧して前記界磁巻線に蓄えられたエネルギーを前記放電抵抗と前記サイリスタアームを通して放電することを特徴とする。
【０００７】
また、請求項３に係る発明は、同期機の界磁巻線を励磁するように接続され、複数のサイリスタアームをブリッジ接続して構成されたサイリスタ整流器と、前記サイリスタ整流器の交流入力端子に励磁用変圧器、励磁用交流遮断器を介して接続された同期機出力回路と、前記サイリスタ整流器の直流出力端子に接続された初期励磁回路と、前記界磁巻線および前記サイリスタ整流器間に直列に接続された放電抵抗と、前記放電抵抗に並列に接続され前記放電抵抗の端子間を開閉する放電抵抗短絡スイッチを備えた同期機の励磁装置において、同期機の通常停止時は、前記励磁用交流遮断器を開放し、それと共に前記複数のサイリスタアームを一斉に点弧することにより前記界磁巻線に蓄えられたエネルギーを前記サイリスタアームを通して放電し、同期機の緊急停止時は、前記励磁用交流遮断器を開放し、それと共に前記  複数のサイリスタアームを一斉に点弧して、さらに前記放電抵抗短絡スイッチを開放することにより前記界磁巻線に蓄えられたエネルギーを前記放電抵抗と前記サイリスタアームを通して放電することを特徴とする。
【０００８】
さらに、請求項４に係る発明は、同期機の界磁巻線を励磁するように接続され、複数のサイリスタアームをブリッジ接続して構成されたサイリスタ整流器と、前記サイリスタ整流器の交流入力端子に励磁用変圧器、励磁用交流遮断器を介して接続された同期機出力回路と、前記サイリスタ整流器の直流出力端子に接続された初期励磁回路と、前記界磁巻線および前記サイリスタ整流器間に直列に接続された放電抵抗と、前記放電抵抗に並列に接続され前記放電抵抗の端子間を開閉する放電抵抗短絡スイッチとを備えた同期機の励磁装置において、４極交流遮断器の３極を前記励磁用交流遮断器として使用し、残りの１極を前記放電抵抗短絡スイッチとして使用し、同期機の停止時は、前記４極交流遮断器を開放することにより、前記励磁用交流遮断器および前記放電抵抗短絡スイッチを開放し、それと共に前記複数のサイリスタアームを一斉に点弧して前記界磁巻線に蓄えられたエネルギーを前記放電抵抗と前記サイリスタアームを通して放電することを特徴とする。
【発明の効果】
【０００９】
本発明の同期機の励磁装置は、励磁回路に直流大電流を遮断する界磁遮断器を設けないので、低コストで寿命の長い励磁装置を提供することができる。しかも、同期機の通常停止の場合は、放電抵抗短絡スイッチを開放させないので、放電抵抗短絡スイッチの動作頻度を大幅に下げる事が可能であり、放電抵抗短絡スイッチの寿命が長くすることができる。
【発明を実施するための最良の形態】
【００１０】
以下、本発明の実施例について、図面を参照して説明する。なお、各図を通じて同一装置、部位には同一符号をつけて説明は適宜省略する。
【００１１】
（実施例１）
（構成）
本発明の実施例１について、図1を参照して説明する。  
本実施例は、他励方式を採用した同期機の励磁装置である。図１において、１は同期機であり、２はその電機子、３は界磁巻線である。界磁巻線３はサイリスタアーム５ａ，５ｂ，５ｃ，５ｄ，５ｅ，５ｆを三相ブリッジ接続して構成されたサイリスタ整流器５から励磁電流を供給されるようになっている。
【００１２】
４は励磁回路の界磁巻線３とサイリスタ整流器５とに直列に接続された放電抵抗であり、この放電抵抗４には放電抵抗短絡スイッチ６が並列接続されている。この放電抵抗短絡スイッチ６は、従来装置に採用されている界磁遮断器のように、直流大電流を遮断する能力は備えていない。そして、前記サイリスタ整流器５は、同期機出力回路１０の電圧が生じていない起動時においても、励磁電流を確保できるように、その交流入力端子が励磁用変圧器７、励磁用交流遮断器８を経て発電所所内電源９に接続されている。
【００１３】
（作用）
以上のように構成された同期機の励磁装置において、同期機１を起動する場合は、励磁用交流遮断器８を投入することにより、発電所所内電源９から励磁用変圧器７を通してサイリスタ整流器５の交流端子に交流電圧を印加するとともに、放電抵抗短絡スイッチ６を投入する。その後、図示しないゲート制御回路からサイリスタ整流器５の各サイリスタアーム５ａ〜５ｆに所定の順序で点弧パルスを与えることにより、サイリスタ整流器５の直流出力端子間に励磁電圧を発生させ、界磁巻線３に励磁電流を供給する。
【００１４】
本実施例の場合、運転中の同期機１の停止方法として、二つの方法を用意している。  
第１の方法は、発電機の事故時などの同期機１の緊急停止時に好適な停止方法であり、停止指令によって励磁用交流遮断器８を開放することによりサイリスタ整流器５の交流端子に印加する電圧を遮断し、それと共にサイリスタ整流器５の全サイリスタアーム５ａ〜５ｆを一斉に点弧させ、サイリスタ整流器５をダイオードブリッジとして動作させる。これと同時に、放電抵抗短絡スイッチ６を開放させることにより、放電抵抗４が界磁回路に挿入されて界磁回路の時定数は小さくなり、界磁巻線３に蓄えられたエネルギーをサイリスタアーム５ａ〜５ｆ、放電抵抗４を通して急速に放電し、消費する。
【００１５】
第２の方法は、同期機１の通常停止時に好適な方法であり、通常停止指令が出たときは、放電抵抗短絡スイッチ６の開放を行わないことである。この場合、放電抵抗４は放電抵抗短絡スイッチ６により短絡状態にあるので、界磁巻線３に蓄えられたエネルギーは全サイリスタアーム５ａ〜５ｆ、放電抵抗短絡スイッチ６を通して放電されるが、この放電回路の抵抗値は、界磁巻線３の抵抗値とほぼ同一という極めて小さい値となるため、第一の方法と比較した場合、界磁巻線３に蓄えられたエネルギーが完全に放電するまでに長い時間を要する事となる。しかし、同期機１の通常停止時には界磁巻線３に蓄えられたエネルギーを急いで放電する必要は無いので、放電時間が長くても実用上問題は無い。
【００１６】
（効果）
以上説明したように、本実施例によれば、励磁回路に直流大電流を遮断する界磁遮断器を設けないので、低コストで寿命の長い同期機の励磁装置を提供することができる。しかも、同期機の通常停止の場合は、放電抵抗短絡スイッチを開放させないので、放電抵抗短絡スイッチの動作頻度を大幅に下げる事が可能であり、放電抵抗短絡スイッチの寿命が長くなるという効果がある。
【００１７】
（実施例２）
（構成）
本発明の実施例２について、図２を参照して説明する。  
本実施例も実施例１同様、他励方式を採用した同期機の励磁装置であり、特に、放電抵抗短絡スイッチ６を改良した点が実施例１とは異なるものである。すなわち、本実施例は、図２に示すように、放電抵抗短絡スイッチ６を３個のスイッチ６−１、６−２および６−３を直列接続して励磁電流を多点切り構成としたことを特徴とするものである。
【００１８】
なお、図２の場合、放電抵抗短絡スイッチ６は３個のスイッチ６−１、６−２および６−３の直列接続により構成されているが、スイッチの個数は必ずしも３個である必要はなく、励磁装置の適用形態に応じて、２個でも、あるいは４個以上であってもよい。
【００１９】
（作用）
本実施例における作用は、放電抵抗短絡スイッチ６の動作を除けば実施例１と同じであるので、放電抵抗短絡スイッチ６の動作について説明する。
【００２０】
前述した実施例１で放電抵抗短絡スイッチ６を投入している状態では本実施例でも全てのスイッチ６−１、６−２および６−３を投入し、実施例１で放電抵抗短絡スイッチ６を開放している状態では本実施例でも全てのスイッチ６−１、６−２および６−３を開放する。また、実施例１で放電抵抗短絡スイッチ６の開放を行わない状態では本実施例でも全てのスイッチ６−１、６−２および６−３の開放を行わない。つまり、同期機１の起動時に、励磁用交流遮断器８の投入に合わせて全てのスイッチ６−１、６−２および６−３を投入する。また、同期機１の緊急停止時には、全サイリスタアーム５ａ〜５ｆの一斉点弧に合わせて全てのスイッチ６−１、６−２および６−３を開放し、同期機１の通常停止時には全てのスイッチ６−１、６−２および６−３の開放を行わない。
【００２１】
（効果）
以上述べたように、本実施例は放電抵抗短絡スイッチ６を複数個のスイッチ６−１、６−２および６−３を直列接続して励磁電流を多点切り構成としたため、スイッチ1個で励磁電流を切る実施例１の場合と比べて、各スイッチの遮断電圧は直列点数の逆数倍（例えば、３点切りした場合は1／３）となり、実施例１の奏する作用効果に加えて、遮断時のスイッチの消耗を抑える事が可能であり、スイッチの寿命を長くすることができるという効果がある。
【００２２】
（実施例３）
（構成）
本発明の実施例３について図３を参照して説明する。  
本実施例は、自励方式を採用した同期機の励磁装置である。自励方式を採用したことにより、励磁用変圧器７の電源を既述した図１、図２に記載の発電所所内電源９から同期機出力回路１０に換えたこと、初期励磁コンタクタ１１と初期励磁用直流電源１２により構成された初期励磁回路１３をサイリスタ整流器の直流出力端子に接続したこと、および励磁用交流遮断器８を励磁用変圧器７とサイリスタ整流器５との間に移したことが図１に示す実施例１とは相違するが、その他の構成は同じである。
【００２３】
（作用）
以上のように構成された同期機の励磁装置において、自励方式を採用した同期機の励磁装置の場合、起動時に同期機出力回路１０から励磁用変圧器７の電源を確保することができないため、初期励磁回路１３を使用して同期機１の出力電圧を確立する必要がある。つまり、起動時に初期励磁コンタクタ１１を投入し、初期励磁用直流電源１２から界磁巻線３に励磁電流を供給し、それと共に放電抵抗短絡スイッチ６を投入する。同期機１の出力電圧が所定の大きさになって、サイリスタ整流器５の励磁電源として使用することが可能になると、励磁用交流遮断器８を投入し、さらに図示しないゲート制御回路からサイリスタ整流器５の各アームのサイリスタアーム５ａ〜５ｆに順次点弧制御を開始して、サイリスタ整流器５からも界磁巻線３に励磁を与える。サイリスタ整流器５の出力電圧が初期励磁回路１３の出力電圧より大きくなった時点で初期励磁コンタクタ１１を開放する。この時点以降は、サイリスタ整流器５のみで界磁巻線３に励磁を与える。
【００２４】
同期機停止時の作用は緊急停止時と、通常停止時とにより相違する。緊急停止時の場合は、励磁用交流遮断器８を開放することにより、サイリスタ整流器５の電源を遮断し、それと共に放電抵抗短絡スイッチ６を開放し、サイリスタ整流器５の全サイリスタアーム５ａ〜５ｆを一斉に点弧する。このときサイリスタ整流器５はダイオードブリッジとして動作し、また放電抵抗短絡スイッチ６の開放により、放電抵抗４が界磁回路に挿入されて界磁回路の時定数は小さくなり、界磁巻線３に蓄えられたエネルギーは放電抵抗４と全サイリスタアーム５ａ〜５ｆを通して急速に放電され、消費される。
【００２５】
一方、同期機の通常停止時の場合は、放電抵抗短絡スイッチ６の開放を行わない。この場合、界磁巻線３に蓄えられたエネルギーは全サイリスタアーム５ａ〜５ｆ、放電抵抗短絡スイッチ６を通して放電されることになる。つまり、界磁エネルギー放電回路の抵抗は、界磁巻線３の抵抗値とほぼ同一の値となるため、界磁巻線３に蓄えられたエネルギーが完全に放電するまでに長い時間を要する事となる。しかし、同期機通常停止時には界磁巻線３に蓄えられたエネルギーを急いで放電する必要は無いので、実用上問題は無い。
【００２６】
（効果）
以上説明したように、本実施例によれば、自励式同期機において、励磁回路に直流大電流を遮断する界磁遮断器を設けないので、低コストで寿命の長い同期機の励磁装置を提供することができる。さらに通常停止時の場合には、放電抵抗短絡スイッチ６の動作頻度を大幅に下げる事が可能であり、放電抵抗短絡スイッチ６の寿命が長くなるという効果がある。
【００２７】
（実施例４）
（構成）
本発明の実施例４について、図４を参照して説明する。  
本実施例も実施例３同様、自励式励磁方式を採用したものであるが、実施例３との相違点は、放電抵抗短絡スイッチ６の改良にあり、放電抵抗短絡スイッチ６を３個のスイッチ６−１、６−２および６−３を直列接続して多点切り構成としたことを特徴とするものである。尚、図４では放電抵抗短絡スイッチ６は直列接続された３個のスイッチ６−１、６−２および６−３により構成されているが、スイッチの個数は必ずしも３個である必要はなく、励磁装置の適用形態に応じて、２個でも、４個以上であってもよい。
【００２８】
（作用）
本実施例における作用は、放電抵抗短絡スイッチ６の動作を除けば実施例３と同じであるので、放電抵抗短絡スイッチ６の動作について説明する。
【００２９】
前述した実施例３で放電抵抗短絡スイッチ６を投入している状態では、本実施例でも全てのスイッチ６−１、６−２および６−３を投入し、実施例３で放電抵抗短絡スイッチ６を開放している状態では本実施例でも全てのスイッチ６−１、６−２および６−３を開放する。また、実施例３で放電抵抗短絡スイッチ６の開放を行わない状態では本実施例でも全てのスイッチ６−１、６−２および６−３の開放を行わない。
【００３０】
つまり、同期機１の起動時に、初期励磁コンタクタ１１の投入に合わせて全てのスイッチ６−１、６−２および６−３を投入する。又、同期機１の停止時には、サイリスタ整流器５の全サイリスタアーム５ａ〜５ｆの一斉点弧に合わせて全てのスイッチ６−１、６−２および６−３を開放するが、同期機１の通常停止時には全てのスイッチ６−１、６−２および６−３の開放を行わない。
【００３１】
（効果）
以上述べたように、本実施例は放電抵抗短絡スイッチ６を、直列接続された複数個のスイッチ６−１、６−２および６−３により多点切り構成としたため、スイッチ1個で切る実施例３の場合と比べて、各スイッチの遮断電圧は多点化の逆数倍(例えば、３点切りした場合は１／３)となり、実施例３の奏する作用効果に加えて、遮断時のスイッチの消耗を抑える事が可能であり、スイッチの寿命を長くすることができるという効果がある。
【００３２】
（実施例５）
（構成）
本発明の実施例５について図５を参照して説明する。  
本実施例も実施例３同様、自励式励磁方式を採用したものであるが、実施例３との相違点は、４極交流遮断器１０の３極を励磁用交流遮断器８として使用し、残りの１極を放電抵抗短絡スイッチ６として使用するように構成したものであり、その他の構成は図３の場合と同じである。なお、図には示していないが、４極交流遮断器１４の３極を励磁用交流遮断器８として使用し、残りの１極を放電抵抗短絡スイッチ６として使用する構成は、図１の実施例にも適用できるものである。
【００３３】
（作用）
以上のように構成された同期機の励磁装置において、自励式励磁装置の場合、起動時に同期機出力回路から励磁用変圧器７の電源を確保することが出来ないため、初期励磁回路１３を使用して同期機１の出力電圧を確立する必要がある。つまり、同期機の起動時は、初期励磁コンタクタ１１を投入し、初期励磁用直流電源１２により界磁巻線３に励磁を与え、それと共に４極交流遮断器1４を投入することにより励磁用交流遮断器８および放電抵抗短絡スイッチ６を投入する。同期機１の出力電圧１０がある程度大きくなり、同期機１の出力をサイリスタ整流器５の電源として使用することが可能になると、図示しないゲート制御回路からサイリスタ整流器５の各サイリスタアーム５ａ〜５ｆに順次点弧制御を開始して、サイリスタ整流器５からも界磁巻線３に励磁を与える。その後は、初期励磁コンタクタ１１を開放し、サイリスタ整流器５のみにより界磁巻線３に励磁を与える。
【００３４】
同期機１の停止時は４極交流遮断器1０を開放することにより励磁用交流遮断器８を開放してサイリスタ整流器５の電源を遮断すると同時に、放電抵抗短絡スイッチ６が開放される。それと共にサイリスタ整流器５の全サイリスタアーム５ａ〜５ｆを一斉に点弧する。この場合、サイリスタ整流器５はダイオードブリッジとして動作するため、界磁巻線３に蓄えられたエネルギーは放電抵抗４とサイリスタアーム５ａ〜５ｆを通して放電される。
【００３５】
（効果）
以上述べたように、本実施例によれば、直流大電流を遮断する界磁遮断器を設けずに、低コストで長寿命な同期機の励磁装置を提供することができる。
【図面の簡単な説明】
【００３６】
【図１】本発明の実施例１に係る同期機の励磁装置の構成図。
【図２】本発明の実施例２に係る同期機の励磁装置の構成図。
【図３】本発明の実施例３に係る同期機の励磁装置の構成図。
【図４】本発明の実施例４に係る同期機の励磁装置の構成図。
【図５】本発明の実施例５に係る同期機の励磁装置の構成図。
【符号の説明】
【００３７】
１…同期機、２・・・電機子、３…界磁巻線、４…放電抵抗、５…サイリスタ整流器、５ａ〜５ｆ…サイリスタアーム、６…放電抵抗短絡スイッチ、７…励磁用変圧器、８…交流遮断器、９…発電所所内電源、１０…同期機出力回路、１１…初期励磁コンタクタ、１２…初期励磁用直流電源、１３…初期励磁回路、１４…４極交流遮断器。
【図１】
2007202286.tif 000003
【図２】
2007202286.tif 000004
【図３】
2007202286.tif 000005
【図４】
2007202286.tif 000006
【図５】
2007202286.tif 000007